(57)【特許請求の範囲】
【請求項１】
車両の省燃費運転を評価する運転評価装置であって、
アクセル開度率の変動が所定の範囲内である区間を示すアクセル一定区間を検出するアクセル一定区間検出手段と、
前記アクセル一定区間検出手段によって検出された前記アクセル一定区間における車速に基づいて算出した基準車速および実際の車速を示す実車速に基づいて車速が低下した区間を示す車速低下区間を検出する車速低下区間検出手段と、
前記車速低下区間検出手段によって検出された前記車速低下区間の始点に対応する基準アクセル開度率および実際のアクセル開度率を示す実アクセル開度率に基づいて過度の復帰加速が行われた区間を示す復帰加速区間を検出する復帰加速区間検出手段と、
前記復帰加速区間検出手段によって検出された復帰加速区間に基づいてアクセル操作の良否を判定する良否判定手段と
を備えたことを特徴とする運転評価装置。
【請求項２】
前記復帰加速区間検出手段は、
前記アクセル一定区間検出手段によって検出された前記アクセル一定区間において、前記車速低下区間検出手段によって前記車速低下区間が検出され、かつ、前記実アクセル開度率から前記基準アクセル開度率を差し引いた値が所定の閾値を上回った場合に、前記復帰加速区間の始点を検出することを特徴とする請求項１に記載の運転評価装置。
【請求項３】
前記復帰加速区間検出手段は、
前記復帰加速区間の始点を検出した後に、前記実アクセル開度率が前記基準アクセル開度率を下回った場合、または、前記実アクセル開度率から前記基準アクセル開度率を差し引いた値が前記所定の閾値以下となってから所定の時間が経過した場合に、当該復帰加速区間の終点を検出することを特徴とする請求項２に記載の運転評価装置。
【請求項４】
前記車速低下区間検出手段は、
前記基準車速から前記実車速を差し引いた値が所定の閾値を上回った場合に、前記車速低下区間を検出することを特徴とする請求項１、２または３に記載の運転評価装置。
【請求項５】
前記復帰加速区間検出手段によって検出された前記復帰加速区間において、前記実車速から当該復帰加速区間の始点に対応する車速を差し引いた値が所定の閾値を上回った場合に、前記復帰加速に伴う車速変動を検出する車速変動検出手段
をさらに備え、
前記良否判定手段は、
前記車速変動検出手段によって検出された前記車速変動に基づいてアクセル操作の良否を判定することを特徴とする請求項１〜４のいずれか一つに記載の運転評価装置。
【請求項６】
前記車速変動検出手段によって検出された前記車速変動の回数を積算する車速変動回数積算手段
をさらに備え、
前記良否判定手段は、
前記車速変動回数積算出手段によって積算された車速変動回数に基づいてアクセル操作の良否を判定することを特徴とする請求項５に記載の運転評価装置。
【請求項７】
前記アクセル一定区間検出手段は、
所定期間における最大のアクセル開度率を示す最大アクセル開度率と当該所定期間における最小のアクセル開度率を示す最小アクセル開度率との差分が所定の閾値未満である場合に、前記アクセル一定区間を検出することを特徴とする請求項１〜６のいずれか一つに記載の運転評価装置。
【請求項８】
前記アクセル一定区間検出手段は、
所定の単位時間における最大のアクセル開度率を示す最大アクセル開度率および当該単位時間における最小のアクセル開度率を示す最小アクセル開度率の組を時系列に取得したうえで、直近の所定数の前記組のなかで最大の前記最大アクセル開度率および最小の前記最小アクセル開度率の差分が所定の閾値未満である場合に、前記アクセル一定区間を検出することを特徴とする請求項１〜６のいずれか一つに記載の運転評価装置。
【請求項９】
前記車速低下区間検出手段は、
前記基準車速として前記アクセル一定区間における最大の車速を用いることを特徴とする請求項１〜８のいずれか一つに記載の運転評価装置。
【請求項１０】
車両の省燃費運転を評価する運転評価装置に適用される運転評価方法であって、
アクセル開度率の変動が所定の範囲内である区間を示すアクセル一定区間を検出するアクセル一定区間検出工程と、
前記アクセル一定区間検出工程によって検出された前記アクセル一定区間における車速に基づいて算出した基準車速および実際の車速を示す実車速に基づいて車速が低下した区間を示す車速低下区間を検出する車速低下区間検出工程と、
前記車速低下区間検出工程によって検出された前記車速低下区間の始点に対応する基準アクセル開度率および実際のアクセル開度率を示す実アクセル開度率に基づいて過度の復帰加速が行われた区間を示す復帰加速区間を検出する復帰加速区間検出工程と、
前記復帰加速区間検出工程によって検出された復帰加速区間に基づいてアクセル操作の良否を判定する良否判定工程と
を含んだことを特徴とする運転評価方法。
【請求項１１】
車両の省燃費運転を評価する運転評価装置に搭載される運転評価プログラムであって、
アクセル開度率の変動が所定の範囲内である区間を示すアクセル一定区間を検出するアクセル一定区間検出手順と、
前記アクセル一定区間検出手順によって検出された前記アクセル一定区間における車速に基づいて算出した基準車速および実際の車速を示す実車速に基づいて車速が低下した区間を示す車速低下区間を検出する車速低下区間検出手順と、
前記車速低下区間検出手順によって検出された前記車速低下区間の始点に対応する基準アクセル開度率および実際のアクセル開度率を示す実アクセル開度率に基づいて過度の復帰加速が行われた区間を示す復帰加速区間を検出する復帰加速区間検出手順と、
前記復帰加速区間検出手順によって検出された復帰加速区間に基づいてアクセル操作の良否を判定する良否判定手順と
をコンピュータに実行させることを特徴とする運転評価プログラム。
【発明の詳細な説明】
【技術分野】
【０００１】
この発明は、車両の省燃費運転を評価する運転評価装置、運転評価方法および運転評価プログラムに関し、特に、性能が異なるさまざまな自動車に対して汎用的に用いることができるとともに、エコドライブに関して定量的な運転評価を行うことができる運転評価装置、運転評価方法および運転評価プログラムに関する。
【背景技術】
【０００２】
近年、地球環境の悪化に伴い、自動車等の車両の運転においては、地球環境に優しい省燃費運転（エコドライブ）が求められている。たとえば、急加速および急加速を繰り返す運転は、多くの燃料を消費するうえ、排出ガスの量も増えるため、エコドライブの観点からは好ましくない。
【０００３】
このようなエコドライブ意識の高まりに対応するために、運転状態がエコドライブに該当するか否かをドライバーに対して報知する技術が提案されている。たとえば、特許文献１には、車両速度に基づいて加減速の状態を取得し、エコドライブに反する急加速や急減速が行われた場合に、運転評価の点数を減点したうえでドライバーに対して表示する技術が開示されている。
【０００４】
【特許文献１】特開２００７−２２５０５号公報
【発明の開示】
【発明が解決しようとする課題】
【０００５】
しかしながら、特許文献１に開示されている技術は、エコドライブに反する運転状態を抽象的に定義したにすぎず、エコドライブについて具体的な評価手法を提示するものではない。したがって、特許文献１の技術を用いた場合であっても、エコドライブであるか否かを定量的に評価することができないという問題がある。
【０００６】
なお、自車両の燃料消費率に基づいて運転評価を行う自動車も見受けられるが、燃料消費率は、自動車の種類やエンジンの排気量等に応じて異なることが通常である。したがって、燃料消費率に基づいてエコドライブを評価する手法は汎用的な手法とはいえない。
【０００７】
これらのことから、性能が異なるさまざまな自動車に対して汎用的に用いることができるとともに、エコドライブに関して定量的な運転評価を行うことができる運転評価装置、運転評価方法あるいは運転評価プログラムをいかにして実現するかが大きな課題となっている。
【０００８】
本発明は、上述した従来技術による問題点を解消するためになされたものであり、性能が異なるさまざまな自動車に対して汎用的に用いることができるとともに、エコドライブに関して定量的な運転評価を行うことができる運転評価装置、運転評価方法および運転評価プログラムを提供することを目的とする。
【課題を解決するための手段】
【０００９】
上述した課題を解決し、目的を達成するため、本発明は、車両の省燃費運転を評価する運転評価装置であって、アクセル開度率の変動が所定の範囲内である区間を示すアクセル一定区間を検出するアクセル一定区間検出手段と、前記アクセル一定区間検出手段によって検出された前記アクセル一定区間における車速に基づいて算出した基準車速および実際の車速を示す実車速に基づいて車速が低下した区間を示す車速低下区間を検出する車速低下区間検出手段と、前記車速低下区間検出手段によって検出された前記車速低下区間の始点に対応する基準アクセル開度率および実際のアクセル開度率を示す実アクセル開度率に基づいて過度の復帰加速が行われた区間を示す復帰加速区間を検出する復帰加速区間検出手段と、前記復帰加速区間検出手段によって検出された復帰加速区間に基づいてアクセル操作の良否を判定する良否判定手段とを備えたことを特徴とする。
【００１０】
また、本発明は、車両の省燃費運転を評価する運転評価装置に適用される運転評価方法であって、アクセル開度率の変動が所定の範囲内である区間を示すアクセル一定区間を検出するアクセル一定区間検出工程と、前記アクセル一定区間検出工程によって検出された前記アクセル一定区間における車速に基づいて算出した基準車速および実際の車速を示す実車速に基づいて車速が低下した区間を示す車速低下区間を検出する車速低下区間検出工程と、前記車速低下区間検出工程によって検出された前記車速低下区間の始点に対応する基準アクセル開度率および実際のアクセル開度率を示す実アクセル開度率に基づいて過度の復帰加速が行われた区間を示す復帰加速区間を検出する復帰加速区間検出工程と、前記復帰加速区間検出工程によって検出された復帰加速区間に基づいてアクセル操作の良否を判定する良否判定工程とを含んだことを特徴とする。
【００１１】
また、本発明は、車両の省燃費運転を評価する運転評価装置に搭載される運転評価プログラムであって、アクセル開度率の変動が所定の範囲内である区間を示すアクセル一定区間を検出するアクセル一定区間検出手順と、前記アクセル一定区間検出手順によって検出された前記アクセル一定区間における車速に基づいて算出した基準車速および実際の車速を示す実車速に基づいて車速が低下した区間を示す車速低下区間を検出する車速低下区間検出手順と、前記車速低下区間検出手順によって検出された前記車速低下区間の始点に対応する基準アクセル開度率および実際のアクセル開度率を示す実アクセル開度率に基づいて過度の復帰加速が行われた区間を示す復帰加速区間を検出する復帰加速区間検出手順と、前記復帰加速区間検出手順によって検出された復帰加速区間に基づいてアクセル操作の良否を判定する良否判定手順とをコンピュータに実行させることを特徴とする。
【発明の効果】
【００１２】
本発明によれば、アクセル開度率の変動が所定の範囲内である区間を示すアクセル一定区間を検出し、検出されたアクセル一定区間における車速に基づいて算出した基準車速および実際の車速を示す実車速に基づいて車速が低下した区間を示す車速低下区間を検出し、検出された車速低下区間の始点に対応する基準アクセル開度率および実際のアクセル開度率を示す実アクセル開度率に基づいて過度の復帰加速が行われた区間を示す復帰加速区間を検出し、検出された復帰加速区間に基づいてアクセル操作の良否を判定することとしたので、アクセル開度率や車速といった汎用的なデータを用いることで、性能が異なるさまざまな自動車に対して汎用的に適用することができるとともに、エコドライブに関して定量的な運転評価を行うことができるという効果を奏する。
【発明を実施するための最良の形態】
【００１３】
以下に添付図面を参照して、この発明に係る運転評価装置、運転評価方法および運転評価プログラムの好適な実施例を詳細に説明する。なお、以下では、本発明に係る運転評価手法の概要について図１を用いて説明した後に、本発明に係る運転評価手法を適用した運転評価装置についての実施例を説明することとする。
【００１４】
まず、本発明に係る運転評価手法の概要について図１を用いて説明する。図１は、本発明に係る運転評価手法の概要を示す図である。なお、同図に示す「Ｖ０」は、一定アクセル開度で走行中の車両の車速を、同図に示す「Ｖ１」は、Ｖ０から所定の閾値を差し引いた車速低下検出のための車速を、それぞれ指している。
【００１５】
同図に示すように、本発明に係る運転評価手法では、一定アクセル開度で走行中（たとえば、高速道路を走行中）の車両が、登り坂にさしかかり、車両が減速していくシチュエーションにおけるエコドライブの評価を行う。
【００１６】
本発明に係る運転評価手法は、上記のシチュエーションを例にすると、ドライバーが登り坂による車速低下にいち早く気付き、最小のアクセル操作で復帰加速（元の車速に復帰させようとする加速）を行った場合に、省燃費に値する運転が行われたと評価する思想に基づくものである。
【００１７】
具体的には、車速が「Ｖ１」まで減速する前に、ドライバーによってアクセル踏み込み操作が行われたならば（同図のＡ参照）、適正な復帰加速が行われたと判定する。これは、小さな車速の落ち込みから元の車速へ戻すためには、少ないアクセルの踏み込み量で足りるためである。
【００１８】
一方、車速が「Ｖ１」を下回る車速まで減速してしまった後に、ドライバーによってアクセル踏み込み操作が行われたならば（同図のＢ参照）、不適正な復帰加速が行われたと判定する。これは、大きな車速の落ち込みから元の車速へ戻すためには、アクセルの踏み込み量を大きくする必要があるためである。しかし、このような大きなアクセル操作は、燃費を悪化させるので省燃費運転の観点からは好ましくない。
【００１９】
そこで、本発明に係る運転評価手法では、アクセル一定走行中における車速低下を検出したうえで、アクセル操作に基づく復帰加速が適正か否かに応じて省燃費運転の良否を判定することとした。
【００２０】
具体的には、本発明に係る運転評価手法では、まず、アクセル一定走行を検出する（同図の（１）参照）。つづいて、アクセル一定走行中に、所定の車速低下を検出したならば（同図の（２）参照）、所定の判定条件に基づいて不適正な復帰加速を検出する（同図の（３）参照）。そして、復帰加速の検出結果に基づいて省燃費運転を評価する（同図の（４）参照）。
【００２１】
すなわち、本発明に係る運転評価手法は、アクセル操作（アクセル開度率）、車両速度といった汎用的なデータを用いて省燃費運転を評価するので、性能が異なるさまざまな自動車に対して適用することができる。また、アクセル一定走行の検出条件、車速低下の検出条件、不適正な復帰加速の検出条件を用いることで、エコドライブに関して定量的な運転評価を行うことができる。
【００２２】
以下では、上記した運転評価手法を適用した運転評価装置の実施例について説明する。なお、以下に示す実施例では、自動車等の車両に搭載される運転評価装置について説明するが、車両と通信可能なネットワークに設けられたサーバ装置上に、運転評価装置を構成することとしてもよい。
【実施例】
【００２３】
図２は、本実施例に係る運転評価装置１０の構成を示すブロック図である。なお、運転評価装置１０は、車両２００が備えるアクセル開度センサ２０１および車速センサ２０２から、アクセル開度率および車速をそれぞれ取得するものとする。なお、車両のＥＣＵ（エンジンコントロールユニット）経由で、各種車両センサのセンサ値を取得することとしてもよい。また、同図では、メータ１２ａやディスプレイ１２ｂを含んだ報知部１２を備えた運転評価装置１０を示したが、報知部１２を含まない運転評価装置１０を構成することとしてもよい。
【００２４】
同図に示すように、運転評価装置１０は、制御部１１と、報知部１２とを備えている。また、制御部１１は、アクセル一定区間検出部１１ａと、車速低下区間検出部１１ｂと、復帰加速区間検出部１１ｃと、車速変動検出部１１ｄと、車速変動回数積算部１１ｅと、良否判定部１１ｆと、報知処理部１１ｇとをさらに備えている。また、報知部１２は、メータ１２ａと、ディスプレイ１２ｂとをさらに備えている。
【００２５】
制御部１１は、車両２００に搭載された各種車両センサからの信号値に基づき、アクセル一定区間の検出、アクセル一定区間における車速低下区間の検出、車速低下後の復帰加速区間の検出、復帰加速後の車速変動検出といった運転状況検出処理を行うとともに、検出結果に基づいて運転の良否判定を行う処理部である。また、制御部１１は、判定結果を報知部１２対して通知する処理を行う処理部でもある。
【００２６】
ここで、制御部１１が行う運転状況検出処理の概要について図３を用いて説明しておく。図３は、制御部１１が行う運転状況検出処理の概要を示す図である。なお、同図には、アクセル開度率および車速の時間変化を示すグラフと、アクセル開度率あるいは車速に基づいてＯＮ／ＯＦＦ制御される各種判定用フラグ（一定アクセルフラグ、車速低下判定フラグ、復帰加速判定フラグおよび車速変動フラグ）を示している。
【００２７】
まず、同図に示す一定アクセルフラグのＯＮ／ＯＦＦ制御の概要について説明する。まず、アクセル開度率に基づく一定アクセル判定（同図の３１参照）を行い、一定アクセルであると判定されたならば、一定アクセルフラグをＯＮにする（同図の（１）参照）。なお、一定アクセルフラグをＯＦＦにするタイミングを含むアクセル一定区間検出処理の詳細については、図４〜図６を用いて後述する。また、アクセル一定区間検出処理は、アクセル一定区間検出部１１ａによって行われる。
【００２８】
次に、同図に示す車速低下判定フラグのＯＮ／ＯＦＦ制御の概要について説明する。まず、一定アクセルフラグがＯＮの状態で、車速低下区間検出処理に用いられる速度低下基準車速の決定処理が行われる（同図の３２参照）。そして、車速が、決定された速度低下基準車速から所定の値「α」だけ低下すると（同図の３３参照）、車速低下があると判定し、車速低下判定フラグをＯＮにする（同図の（２）参照）。
【００２９】
なお、車速低下判定フラグをＯＦＦにするタイミングは一定アクセル判定フラグをＯＦＦにするタイミングと同一である。また、速度低下基準車速の決定などの車速低下区間検出処理の詳細については、図７〜図８を用いて後述する。また、車速定格間検出処理は、車速低下区間検出部１１ｂによって行われる。
【００３０】
次に、同図に示す復帰加速判定フラグのＯＮ／ＯＦＦ制御の概要について説明する。まず、復帰加速検出処理では、車速低下判定フラグがＯＮとなった時点におけるアクセル開度率を基準アクセル開度率（同図の３４参照）として保存する。そして、一定アクセルフラグおよび車速低下判定フラグが双方ともＯＮの状態で、アクセル開度率が、保存された基準アクセル開度率から所定の値「β」だけ増加すると（同図の３５参照）、不適正な復帰加速ありと判定し、復帰加速判定フラグをＯＮにする（同図の（３）参照）。
【００３１】
なお、基準アクセル開度率の保存、復帰加速判定フラグをＯＦＦにするタイミングなどの復帰加速区間検出処理の詳細については、図９〜図１１を用いて後述する。また、復帰加速区間検出処理は、復帰加速区間検出部１１ｃによって行われる。
【００３２】
次に、同図に示す車速変動フラグのＯＮ／ＯＦＦ制御の概要について説明する。まず、車速変動検出処理では、復帰加速判定フラグがＯＮとなった時点における車速を復帰加速基準車速（同図の３６参照）として保存する。そして、復帰加速判定フラグがＯＮの状態で、車速が、保存された復帰加速基準車速から所定の値「γ」だけ増加すると（同図の３７参照）、復帰加速に伴う車速変動ありと判定し、車速変動フラグをＯＮにする（同図の（４）参照）。なお、車速変動検出処理の詳細については、図１２を用いて後述する。また、車速変動検出処理は、車速変動検出部１１ｄによって行われる。
【００３３】
図２の説明に戻り、制御部１１に含まれる各処理部について説明する。アクセル一定区間検出部１１ａは、アクセル開度センサ２０１からの信号値に基づき、アクセル開度率が所定の変動範囲に含まれるか否かを判定することでアクセル開度率が一定の区間（アクセル一定区間）を検出する処理を行う処理部である。なお、このアクセル一定区間検出部１１ａは、検出結果を、車速低下区間検出部１１ｂおよび復帰加速区間検出部１１ｃへ通知する処理を併せて行う。
【００３４】
ここで、このアクセル一定区間検出部１１ａが行うアクセル一定区間検出処理の詳細について図４〜図６を用いて説明しておく。図４は、アクセル一定区間検出処理の概要その１を示す図である。なお、同図には、０．１ｓｅｃごとに取得したアクセル開度率に基づき、１ｓｅｃを代表するアクセル開度率の最大値（ＭＡＸ）および最小値（ＭＩＮ）を取得する場合について示している。
【００３５】
また、同図に示す「１ｓｅｃカウンタ」は、０．１ｓｅｃごとにカウントアップされるカウンタであり０〜９の値をとる。また、「５ｓｅｃカウンタ」は、１ｓｅｃごとにカウントアップされるカウンタであり０〜４の値をとる。
【００３６】
同図に示すように、０．１ｓｅｃごとにアクセル開度率が取得される。たとえば、１ｓｅｃカウンタが０におけるアクセル開度率が、１０個の格納エリアの先頭のエリアに格納される（同図の（１）参照）。また、１ｓｅｃカウンタが１におけるアクセル開度率が、同様に２番目のエリアに格納され（同図の（２）参照）、１ｓｅｃカウンタが９になると、１０個の格納エリアに格納された値を比較することによって最小値（ＭＩＮ）および最大値（ＭＡＸ）を取得する。
【００３７】
たとえば、４番目のエリアに格納されたアクセル開度率が最小（ＭＩＮ）であり、７番目のエリアに格納されたアクセル開度率が最大（ＭＡＸ）であるとすると、１秒間における最小のアクセル開度率（１ｓｅｃＭＩＮアクセル開度率）として、４番目のエリアの「ＭＩＮ」が選択される（同図の（３）参照）。また、最大のアクセル開度率（１ｓｅｃＭＡＸアクセル開度率）として、７番目のエリアの「ＭＡＸ」が選択される（同図の（４）参照）。
【００３８】
図５は、アクセル一定区間検出処理の概要その２を示す図である。なお、同図には、図４で取得された１ｓｅｃＭＡＸアクセル開度率および１ｓｅｃＭＩＮアクセル開度率の組のなかから、直近の５ｓｅｃを代表するＭＡＸ値（５ｓｅｃＭＡＸアクセル開度率）およびＭＩＮ値（５ｓｅｃＭＩＮアクセル開度率）を取得する場合について示している。
【００３９】
同図に示すように、５ｓｅｃカウンタが４となったならば、直近の５ｓｅｃにおける５個の１ｓｅｃＭＡＸアクセル開度率のなかから最大のものを５ｓｅｃＭＡＸアクセル開度率として取得する。また、直近の５ｓｅｃにおける５個の１ｓｅｃＭＩＮアクセル開度率のなかから最小のものを５ｓｅｃＭＩＮアクセル開度率として取得する。
【００４０】
たとえば、同図のＡに示した範囲では、最大の１ｓｅｃＭＡＸアクセル開度率は１２であるので、５ｓｅｃＭＡＸアクセル開度率は１２となり、最小の１ｓｅｃＭＩＮアクセル開度率は２であるので、５ｓｅｃＭＩＮアクセル開度率は２となる。また、同図のＢに示した範囲では、最大の１ｓｅｃＭＡＸアクセル開度率は１０であるので、５ｓｅｃＭＡＸアクセル開度率は１０となり、最小の１ｓｅｃＭＩＮアクセル開度率は２であるので、５ｓｅｃＭＩＮアクセル開度率は２となる。同様に、同図のＣに示した範囲では、５ｓｅｃＭＡＸアクセル開度率は１１、５ｓｅｃＭＩＮアクセル開度率は１となる。
【００４１】
図６は、アクセル一定フラグの更新タイミングを示す図である。なお、同図に示す「条件」としては、（１）車速が所定値（たとえば、４０ｋｍ／ｈ）を上回ること、（２）アクセル開度率が所定値（たとえば、１０％）を上回ること、（３）所定期間におけるＭＡＸ（最大）アクセル開度率とＭＩＮ（最小）アクセル開度率との差分が所定値未満であること、という３つの条件がある。ここで、条件（１）および条件（２）は、低速走行や、アクセル閉状態での走行を、省燃費判定の対象から除外するために設けられる。また、条件（３）で用いられる差分評価のための所定値は、任意の値に設定することができる。
【００４２】
同図に示すように、すべての条件が成立（条件（１）〜条件（３）がすべて成立）すると、一定アクセルフラグはＯＮへ変更される。また、いずれかの条件が不成立（条件（１）〜条件（３）のうち少なくとも１つが不成立）となったならば、不成立時点から２ｓｅｃの猶予時間経過後に、一定アクセルフラグはＯＦＦへ変更される。なお、猶予時間を他の値とすることとしてもよい。
【００４３】
図２の説明に戻り、車速低下区間検出部１１ｂについて説明する。車速低下区間検出部１１ｂは、アクセル一定区間検出部１１ａからアクセル一定区間の始点を検出した旨の通知を受けた場合に、車速センサ２０２からの信号値に基づき、所定の条件を満たす車速低下を検出する処理を行う処理部である。なお、この車速低下区間検出部１１ｂは、検出結果を復帰加速区間検出部１１ｃへ通知する処理を併せて行う。
【００４４】
ここで、車速低下区間検出部１１ｂが行う車速低下区間検出処理の詳細について図７および図８を用いて説明しておく。図７は、速度低下基準車速の取得について示す図である。同図に示すように、車速低下区間検出部１１ｃは、一定アクセルフラグがＯＮであることを条件として、保持する基準車速を最大の車速で更新していく処理を行う。すなわち、車速低下基準車速（同図の基準車速）は、一定アクセルフラグがＯＮである場合の、最大の車速である。
【００４５】
たとえば、同図に示すように、一定アクセルフラグがＯＮとなった時点の車速が５１ｋｍ／ｈだとすると、基準車速には、５１ｋｍ／ｈが保存される。そして、０．１ｓｅｃごとに、車速が、５２ｋｍ／ｈ、５５ｋｍ／ｈ、６０ｋｍ／ｈと増加すると、基準車速は、５２ｋｍ／ｈ、５５ｋｍ／ｈ、６０ｋｍ／ｈへ、それぞれ更新される。一方、車速が６０ｋｍ／ｈとなった後に、５１ｋｍ／ｈ、５０ｋｍ／へと減少すると、基準車速は、６０ｋｍ／ｈのまま保持される。
【００４６】
図８は、車速低下判定フラグの更新タイミングを示す図である。なお、同図に示す速度低下基準車速（Ａ）は、図７に示した手順で取得されたものである。すなわち、速度低下基準車速（Ａ）は、一定アクセルフラグがＯＮとなった後の最大車速である（同図の８１参照）。
【００４７】
同図に示すように、速度低下基準車速（Ａ）から所定の値（α）を差し引いた値をＢとすると、車速がＢまで減少した場合に（同図の８２参照）、車速低下判定フラグがＯＮへ変更される。また、一定アクセルフラグがＯＦＦとなると、車速低下判定フラグもＯＦＦへ変更される。なお、所定の値（α）は、任意の値に変更することができるものとする。
【００４８】
図２の説明に戻り、復帰加速区間検出部１１ｃについて説明する。復帰加速区間検出部１１ｃは、アクセル一定区間検出部１１ａによって検出されたアクセル一定区間および車速低下区間検出部１１ｂによって検出された車速低下区間のいずれの区間にも該当する場合に、アクセル開度センサ２０１からの信号値に基づき、アクセル開度率が許容範囲を超えて大きくなった旨、すなわち、不適正な復帰加速が行われた旨を検出する処理を行う処理部である。また、この復帰加速区間検出部１１ｃは、検出結果を車速変動検出部１１ｄへ通知する処理を併せて行う。
【００４９】
ここで、復帰加速区間検出部１１ｃが行う復帰加速区間検出処理の詳細について図９〜図１１を用いて説明しておく。図９は、復帰加速区間検出処理に用いられる基準アクセル開度率の取得について示す図である。なお、同図に示す１ｓｅｃＭＡＸアクセル開度率、１ｓｅｃＭＩＮアクセル開度率、５ｓｅｃＭＡＸアクセル開度率および５ｓｅｃＭＩＮアクセル開度率は、図５に示したものと同様である。
【００５０】
同図に示すように、車速低下判定フラグがＯＮとなったタイミングにおける５ｓｅｃＭＡＸアクセル開度率を基準アクセル開度率として保存する（同図の（１）参照）。また、車速低下判定フラグがＯＦＦとなったならば、保存していた基準アクセル開度率をクリア（消去）する（同図の（２）参照）。
【００５１】
図１０は、復帰加速判定フラグの更新タイミングその１を示す図である。なお、同図に示す基準アクセル開度率（Ａ）は、図９に示した手順によって取得されたアクセル開度率である。なお、復帰加速判定フラグをＯＮに更新する処理は、同図に示すように、一定アクセルフラグおよび車速低下判定フラグが双方ともＯＮの場合に行われる。
【００５２】
同図に示すように、基準アクセル開度率（Ａ）に所定の値（β）を加えた値をＢとすると、アクセル開度率がＢまで増加した場合に（同図の１０１参照）、復帰加速判定フラグがＯＮへ変更される（同図の（１）参照）。また、いったんＢを上回ったアクセル開度率がＢまで低下すると（同図の１０２）、５ｓｅｃの猶予期間を経て復帰加速判定フラグがＯＦＦへ変更される（同図の（２）参照）。なお、猶予期間および所定の値（β）は、任意の値に変更することができるものとする。
【００５３】
次に、復帰加速判定フラグをＯＦＦに更新する場合の他の例について図１１を用いて説明する。図１１は、復帰加速判定フラグの更新タイミングその２を示す図である。なお、同図における復帰加速判定フラグをＯＮへ変更するタイミング（同図の（１）参照）は、図１０と同様である。
【００５４】
同図に示すように、基準アクセル開度率（Ａ）に所定の値（β）を加えた値をＢとし、アクセル開度率がＢとなると（同図の１１１参照）復帰加速判定フラグがＯＮへ変更される（同図の（１）参照）。また、いったんＢを上回ったアクセル開度率が基準アクセル開度率（Ａ）まで低下すると（同図の１１２）、復帰加速判定フラグがＯＦＦへ変更される（同図の（２）参照）。なお、所定の値（β）は、任意の値に変更することができるものとする。
【００５５】
図２の説明に戻り、車速変動検出部１１ｄについて説明する。車速変動検出部１１ｄは、復帰加速区間検出部１１ｃによって検出された復帰加速区間について、車速センサ２０２からの信号値に基づき、所定の条件を満たす車速上昇を検出する処理を行う処理部である。なお、この車速変動検出部１１ｄは、検出結果を車速変動回数積算部１１ｅへ通知する処理を併せて行う。
【００５６】
ここで、車速変動検出部１１ｄが行う車速変動検出処理の詳細について図１２を用いて説明しておく。図１２は、車速変動フラグの更新タイミングを示す図である。まず、同図に示すように、復帰加速判定フラグがＯＮへ変更された時点における車速（同図の１２１参照）を、復帰加速基準車速Ｂとして保存する（同図の（１）参照）。なお、保存された復帰加速基準車速Ｂは、復帰加速判定フラグがＯＦＦへ変更された時点でクリア（消去）される（同図の（２）参照）。
【００５７】
そして、復帰加速基準車速（Ｂ）に所定の値（γ）を加えた値をＡとすると、車速がＡまで増加した場合に（同図の１２２参照）、車速変動フラグがＯＮへ変更される。つづいて、車速変動フラグがＯＮとなったならば、車速変動回数積算部１１ｅが、変動回数をカウントアップし、車速変動フラグをクリア（ＯＦＦへ更新）する（同図の（３）参照）。
【００５８】
図２の説明に戻り、車速変動回数積算部１１ｅについて説明する。車速変動回数積算部１１ｅは、車速変動検出部１１ｄが検出した車速変動の回数を積算する処理を行う処理部である。また、この車速変動回数積算部１１ｅは、積算結果を良否判定部１１ｆへ通知する処理を併せて行う。
【００５９】
良否判定部１１ｆは、車速変動回数積算部１１ｅによって積算された車速変動回数に基づいて運転操作の良否を判定する処理を行う処理部である。なお、この良否判定部１１ｆは、車速変動回数の回数に応じて省燃費運転の評価付けを行い、車速変動回数および評価結果を報知処理部１１ｇへ通知する。
【００６０】
なお、本実施例では、車速変動回数積算部１１ｅが、車速変動回数に基づいて運転操作の良否を判定する場合について示すが、車速低下区間検出部１１ｂによって検出された車速低下区間の数、復帰加速区間検出部１１ｃによって検出された復帰加速区間の数などに基づいて運転操作の良否を判定し、これらの区間の数を、省燃費運転の評価結果とともに報知処理部１１ｆへ通知することとしてもよい。
【００６１】
報知処理部１１ｇは、良否判定部１１ｆから通知された車速変動回数および省燃費運転の評価結果を、報知部１２へ通知する処理を行う処理部である。
【００６２】
報知部１２は、メータ１２ａおよびディスプレイ１２ｂを備えており、制御部１１から通知された情報を、メータ１２ａあるいはディスプレイ１２ｂへ表示させる。メータ１２ａは、たとえば、針の回転によって車速変動回数や評価結果のランク付けを表示する。ディスプレイ１２ｂは、たとえば、車速変動回数や評価結果を含んだグラフィカルな表示用画面を表示する。
【００６３】
次に、図２に示した運転評価装置１０が実行する処理手順について図１３を用いて説明する。図１３は、運転評価装置１０が実行する処理手順を示すフローチャートである。なお、同図には、車速変動回数積算部１１ｅが車速変動回数を積算するまでの処理手順を示している。
【００６４】
同図に示すように、アクセル一定区間検出部１１ａは、アクセル一定を検出したか否かを判定する（ステップＳ１０１）。そして、アクセル一定を検出したならば（ステップＳ１０１，Ｙｅｓ）、車速低下検出用の基準車速を更新する処理を行う（ステップＳ１０２）。なお、ステップＳ１０１の判定条件を満たさなかった場合には（ステップＳ１０１，Ｎｏ）、ステップＳ１０１以降の処理を繰り返す。
【００６５】
つづいて、車速低下区間検出部１１ｂは、車速低下を検出したか否かを判定する（ステップＳ１０３）。そして、車速低下を検出したならば（ステップＳ１０３，Ｙｅｓ）、復帰加速検出用の基準アクセル開度率を取得する（ステップＳ１０４）。なお、ステップＳ１０３の判定条件を満たさなかった場合には（ステップＳ１０３，Ｎｏ）、ステップＳ１０２以降の処理を繰り返す。
【００６６】
つづいて、復帰加速区間検出部１１ｃは、不適正な復帰加速を検出したか否かを判定する（ステップＳ１０５）。そして、不適正な復帰加速を検出した場合には（ステップＳ１０５，Ｙｅｓ）、車速変動検出用の基準車速を取得する（ステップＳ１０６）。なお、ステップＳ１０５の判定条件を満たさなかった場合には（ステップＳ１０５，Ｎｏ）、以降の処理を行うことなく処理を終了する。
【００６７】
つづいて、車速変動検出部１１ｄは、復帰加速に伴う車速変動を検出したか否かを判定する（ステップＳ１０７）。そして、車速変動を検出したならば（ステップＳ１０７，Ｙｅｓ）、車速変動回数積算部１１ｅは、車速変動回数をカウントアップして処理を終了する（ステップＳ１０８）。なお、ステップＳ１０７の判定条件を満たさなかった場合には（ステップＳ１０７，Ｎｏ）、以降の処理を行うことなく処理を終了する。
【００６８】
上述してきたように、本実施例では、アクセル一定区間検出部が、アクセル開度率の変動が所定の範囲内である区間を示すアクセル一定区間を検出し、車速低下区間検出部が、検出されたアクセル一定区間における車速に基づいて算出した基準車速および実際の車速を示す実車速に基づいて車速が低下した区間を示す車速低下区間を検出し、復帰加速区間検出部が、検出された車速低下区間の始点に対応する基準アクセル開度率および実際のアクセル開度率を示す実アクセル開度率に基づいて過度の復帰加速が行われた区間を示す復帰加速区間を検出し、良否判定部が、検出された復帰加速区間に基づいてアクセル操作の良否を判定するように運転評価装置を構成した。
【００６９】
したがって、アクセル開度率や車速といった汎用的なデータを用いることで、性能が異なるさまざまな自動車に対して汎用的に適用することができるとともに、エコドライブに関して定量的な運転評価を行うことができる。
【００７０】
ところで、上述した実施例では、車両に搭載される運転評価装置が、車両センサ（アクセル開度センサや車速センサなど）に基づいて運転評価を行う場合について説明したが、カーナビゲーション装置から取得したロケーション情報（道路、建物などの配置情報）、車載レーダによって取得した車間距離、天候情報等をさらに使用して運転評価を行うこととしてもよい。このようにすることで、車両の走行状況を加味したさらに精度の高い運転評価が可能となる。
【産業上の利用可能性】
【００７１】
以上のように、本発明に係る運転評価装置および運転評価方法は、エコドライブの評価に有用であり、特に、性能が異なるさまざまな自動車に対して汎用的な運転評価を行いたい場合に適している。
【図面の簡単な説明】
【００７２】
【図１】本発明に係る運転評価手法の概要を示す図である。
【図２】本実施例に係る運転評価装置の構成を示すブロック図である。
【図３】制御部が行う運転状況検出処理の概要を示す図である。
【図４】アクセル一定区間検出処理の概要その１を示す図である。
【図５】アクセル一定区間検出処理の概要その２を示す図である。
【図６】アクセル一定フラグの更新タイミングを示す図である。
【図７】速度低下基準車速の取得について示す図である。
【図８】車速低下判定フラグの更新タイミングを示す図である。
【図９】復帰加速区間検出処理に用いられる基準アクセル開度率の取得について示す図である。
【図１０】復帰加速判定フラグの更新タイミングその１を示す図である。
【図１１】復帰加速判定フラグの更新タイミングその２を示す図である。
【図１２】車速変動フラグの更新タイミングを示す図である。
【図１３】運転評価装置が実行する処理手順を示すフローチャートである。
【符号の説明】
【００７３】
１０    運転評価装置
１１    制御部
１１ａ  アクセル一定区間検出部
１１ｂ  車速低下区間検出部
１１ｃ  復帰加速区間検出部
１１ｄ  車速変動検出部
１１ｅ  車速変動回数積算部
１１ｆ  良否判定部
１１ｇ  報知処理部
１２    報知部
１２ａ  メータ
１２ｂ  ディスプレイ
２００    車両
２０１    アクセル開度センサ
２０２    車速センサ
【図１】
0005253891.tif 000002
【図２】
0005253891.tif 000003
【図３】
0005253891.tif 000004
【図４】
0005253891.tif 000005
【図５】
0005253891.tif 000006
【図６】
0005253891.tif 000007
【図７】
0005253891.tif 000008
【図８】
0005253891.tif 000009
【図９】
0005253891.tif 000010
【図１０】
0005253891.tif 000011
【図１１】
0005253891.tif 000012
【図１２】
0005253891.tif 000013
【図１３】
0005253891.tif 000014